(57)【要約】
【課題】  操作が簡単且つ便利で、手を汚すことがない農業、園芸用肥料供給装置を提供する。
【解決手段】肥料を入れる背部容器の底部は傾斜面で、その傾斜面は肥料供給出口に集中し、肥料供給出口の下方には伝動装置２が設けられ、螺旋バーに動力を供給している。螺旋バーは容器出口に接続するフレキシブル送出管４の中に連結し、フレキシブル送出管４はさらに長管５に接続し、その長管５の出口はスコップ型の先端部分５１が成形されている。さらに、伝動装置２をコントロールして作動をする手押しスイッチ６及びセンサーボタン６１が設けられている。伝動装置２はまたコントローラー７に連結している。そのコントローラー７は、電源切断スイッチ７１、間歇作動スイッチ７２、連続作動スイッチ７３の三段切り替えが可能である。コントローラー７のスイッチの切替により完全に肥料の用量と方式をコントロール可能である。
【選択図】    図１
0003101135.tif 000002
【実用新案登録請求の範囲】
【請求項１】
背部容器の内部に顆粒、および粉末状の肥料を入れるように構成され、その容器の底部は傾斜面に成形され、肥料供給出口の下方に肥料が集中するようになり、螺旋バーによって肥料が長い管の中に集められ、容器の出口にはフレキシブル送出管が接続され、螺旋バーは伝動装置に連結され、その動力によって送出作用を行い、フレキシブル送出管には長管が接続され、その長管の出口はスコップ型の先端部分に成形され、伝動装置の始動は手押しスイッチによってコントロール可能であり、長管のスコップ型の先端部分が花の根元に移動した時、スイッチを押すと、伝動装置が作動し、螺旋バーが動かされ、肥料が下に押し出され、肥料供給出口から螺旋バーを通過して、フレキシブル送出管、長管を経て、長管のスコップ型の先端部分から花の根元に送られ、操作者は現場の必要に応じて、コントローラーを設定し、完全にその量をコントロール可能とし、手に肥料が触れることがないので、衛生的で安全性も高く、体力を無駄にすることもないので、実用性が高いことを特徴とする農業、園芸用肥料供給装置。
【請求項２】
伝動装置はコントローラーに連結され、そのコントローラーは電源切断スイッチ、間歇作動スイッチ、連続作動スイッチの三段式に切り換えることが可能であり、操作をする者が、現場の必要性に応じて、コントローラーによって、間歇作動スイッチと連続作動スイッチのどちらかの位置に設定すると、間歇的にも、連続的にも肥料を供給可能となり、操作が簡単で便利で、手を汚すこともないので実用性が高いことを特徴とする請求項１に記載の農業、園芸用肥料供給装置。
【考案の詳細な説明】
【技術分野】
【０００１】
本考案は、農業、園芸用肥料供給装置に関する。
【背景技術】
【０００２】
従来の、花や木、盆栽、葉物野菜、果物等に肥料を与える方式は、人の手によって肥料を桶の中にいれ、必要に応じてそれを取り出すという方法である。普通は、片方の手で肥料を持ち、もう一方の手でその肥料を撒く。農民は、農作物の種類によって、使用する肥料の量や肥料を置く位置を決め、手で肥料をつかんで置いていく。
【考案の開示】
【考案が解決しようとする課題】
【０００３】
しかしながら、この方式では、作業をする者は思い肥料桶を持ち、腰を曲げて肥料を置いていくため、体への負担が大きく、作業効率も悪い。また、このような方法で肥料を置いていくと、その量は農民の経験や勘に頼ることになり、平均に、正確に肥料を使用することはむずかしい。時には、使用量が多すぎて無駄になったり、量が適切でないために作物のできに影響したりすることも考えられる。
【０００４】
したがって本考案の目的は、操作が簡単且つ便利で、手を汚すことがない農業、園芸用肥料供給装置を提供することにある。
【課題を解決するための手段】
【０００５】
上述の目的を達成するために、本考案の請求項に記載の農業、園芸用肥料供給装置は、背部容器の内部に顆粒、粉末状の肥料を入れるように構成されている。その容器の底部は傾斜面で、肥料供給出口の下方に肥料が集中するように成形されている。そして、螺旋バーによって肥料が長い管の中に集められる。容器の出口にはフレキシブル送出管が接続されている。螺旋バーは伝動装置に連結していて、その動力によって送出作用を行なう。フレキシブル送出管には長管が接続されていて、その長管の出口はスコップ型の先端部分が成形されている。さらに、伝動装置の始動を手押しスイッチによってコントロールするようになっている。伝動装置はコントローラーに連結されていて、そのコントローラーは電源切断スイッチ、間歇作動スイッチ、連続作動スイッチの三段式に切り換えることが可能である。操作をする者は、現場の必要性に応じてコントローラーによって、間歇作動スイッチと連続作動スイッチのどちらかの位置に設定することで、完全にその量をコントロール可能である。さらに、手が肥料に触れることがないので、衛生的で安全性も高く、体力の節約も可能である。また、間歇的にも、連続的にも肥料を供給することができるので、操作が簡単で便利なので、実用性も高い。
【考案を実施するための最良の形態】
【０００６】
以下、本考案の実施例を図面に基づいて説明する。
図１、図２に示すように、本実施例による農業、園芸用肥料供給装置は、背部容器１内部に顆粒状あるいは粉末状の肥料Ａを入れる。背部容器１の底部は傾斜面１１で、その傾斜面１１は肥料供給出口１２に集中している。肥料供給出口１２の下方には伝動装置２が設けられ、螺旋バー３に動力を供給している。図３に示すように、螺旋バー３は容器出口１３に接続するフレキシブル送出管４の中に連結している。そのフレキシブル送出管４はさらに長管５に接続し、その長管５の出口はスコップ型の先端部分５１が成形されている。さらに、伝動装置２をコントロールして作動をする手押しスイッチ６及びセンサーボタン６１が設けられている。伝動装置２はまたコントローラー７に連結している。そのコントローラー７は、電源切断スイッチ７１、間歇作動スイッチ７２、連続作動スイッチ７３の三段切り替えが可能である。
【０００７】
図４に示すように、操作者Ｓは、背部容器１等を配置した装置を背負い、手Ｓ１でフレキシブル送出管４及び長管５の間にある手押しスイッチ６の部分を握り、現場の必要に応じて、コントローラー７のスイッチを元の電源切断スイッチ７１の位置から間歇作動スイッチ７２の位置に切り換えて、さらに手押しスイッチ６を押すと、手押しスイッチ６に連帯してセンサーボタン６１が押される。この時、コントローラー７が作動して、自動的にタイマーが働き（自分で設定することも可能）、回転する螺旋バー３をコントロールして、肥料Ａが下に押し出され肥料供給出口１２、フレキシブル送出管４、長管５を経て、長管５のスコップ型の先端部分５１を花Ｆ（あるいは、くだもの、農作物等）の根元にＦ１に移した時、長管５の手押しスイッチ６を押すことにより、すでに管内にある肥料Ａが花Ｆの根元に送られる。同時に、手押しスイッチ６によって作動したセンサーボタン６１は、コントローラー７を起動させ、自動タイマーによってその螺旋バー３を回転させて、肥料Ａを引き続き供給する。長管５の手押しスイッチ６を押すと、そのセンサーボタン６１がコントローラー７を作動させ、螺旋バー３の回転を停止させる。操作者が次の定点に移動して、長管５の手押しスイッチ６を再び押すと、すでに管内にある肥料Ａが花Ｆの根元に送られる。同時に、センサーボタン６１が、またコントローラー７を作動させて、さらにタイマーが働き、螺旋バー３を回転させ、肥料Ａを引き続き供給する。
【０００８】
そして、コントローラー７を連続作動スイッチ７３の位置に切り換えると、長管５の手押しスイッチ６が連続して肥料Ａを供給し、伝動装置２は連続して作動し肥料を送り続ける。このように、本考案の実施例による農業、園芸用肥料供給装置は、完全に肥料の用量と方式をコントロール可能であり、手が肥料に触れることがなく、衛生的且つ安全である。また、従来のような散布動作の必要がないため、体力を無駄にすることもない。その上、操作が簡単で、扱い方も便利なので、実用性が高い。
【図面の簡単な説明】
【０００９】
【図１】本考案の一実施例による農業、園芸用肥料供給装置を示す構造の立体分解図である。
【図２】本考案の一実施例による農業、園芸用肥料供給装置を示す構造の立体組立図である。
【図３】本考案の一実施例による農業、園芸用肥料供給装置の内部を示す図である。
【図４】本考案の実施例図である。
【符号の説明】
【００１０】
１  背部容器、２  伝動装置、３  螺旋バー４  フレキシブル送出管、５  長管、６  手押しスイッチ、７  コントローラー、１１  傾斜面、１２  肥料供給出口、１３  容器出口、５１  スコップ型の先端部分、６１  センサーボタン、７１  電源切断スイッチ、７２  間歇作動スイッチ、７３  連続作動スイッチ、Ａ  肥料、Ｆ  花、Ｆ１  根元、Ｓ  操作者、Ｓ１  手
【図１】
0003101135.tif 000003
【図２】
0003101135.tif 000004
【図３】
0003101135.tif 000005
【図４】
0003101135.tif 000006